(57)【要約】      （修正有）【課題】インク等の液体を内蔵する製品はもちろんのこと、香り付けした製品を密閉保存でき、さらに中の商品が見えることから店頭における陳列効果も優れた筆記具の保管容器を提供する。【解決手段】ポリエチレンテレフタレート製の容器３と蓋１の間に気体透過率の低い弾性部材２を介在させて密封した筆記具の保管容器により、香り成分等の気体も密封保存できることを見出した。【選択図】  図２
2005008232.tif 000002
【特許請求の範囲】
【請求項１】
ポリエチレンテレ蓋レート製の容器本体と蓋との間に気体透過率の低い弾性部材を介在させ密封したことを特徴とする筆記具の保管容器。
【請求項２】
前記容器本体と蓋とを螺合により密封したことを特徴とする請求項１記載の筆記具の保管容器。
【請求項３】
前記ポリエチレンテレ蓋レート製の容器が透明であることを特徴とする請求項１、或いは、請求項２に記載の筆記具の保管容器。
【請求項４】
前記弾性部材がブチルゴムであることを特徴とする請求項１〜請求項３の何れかに記載筆記具の保管容器。
【請求項５】
前記容器内に芳香を発するものを投入したことを特徴とする請求項１〜請求項４の何れかに記載の筆記具の保管容器。
【発明の詳細な説明】
【０００１】
【発明の属する技術分野】
本発明は、筆記具の保管容器に関するものである。
【０００２】
【従来の技術】
従来から筆記具は、透明なポリシースや樹脂成型品、衣装ケースに入れ保管および店頭に陳列されていた（特許文献１参照）。また、インクがなくなったときに交換するリフィール部品は、長期の保存に耐えられるよう、樹脂フィルムおよび樹脂／アルミニウム箔のラミネートフィルムなどからなる袋に封入され密閉・保存されている（特許文献２参照）。
【０００３】
【特許文献１】
実公昭５９−３７４７０号（特許請求の範囲、第２図参照）。
【特許文献２】
実開昭６４−１７９７９号（特許請求の範囲、第１図参照）。
【０００４】
【発明を解消しようとする課題】
しかしながら、ポリシースは、その少なくとも一端が解放されており、製品を入れた後に端の部分を折り、製品が飛び出したりしないよう粘着材で止めているだけである。また、樹脂成型などによるケースは、比較的高額の製品を保管および陳列するために用いられるが、製品の傷防止やほこりが付かないようにしているだけで、両者とも密閉された状態での保存はされていないのが現状であった。
【０００５】
一方、リフィール部品は、インク等の液体を内蔵する機能部品であることから、インクの組成が変化したり乾燥しないように、密閉保存されている。しかしながら、消耗品であることから店頭にはほとんど陳列されていないのが現状である。これは陳列のスペースがないという販売店側の問題もあるが、商品の包装形態によるところも多大にある。保存性を重視すると樹脂／アルミニウム箔ラミネートフィルムに密閉保存しなければならないが、中の商品が見えなくなってしまうのである。また、中の商品が見えるようにするためには、透明な樹脂フィルムで密閉・保管する方法も考えられるが、樹脂フィルムにシワが付いてしまったり、折れ曲がったりしてしまい、美観を著しく損ねてしまう。
【０００６】
また、近年においては、アロマテラピー等の癒しをテーマにした香りを売る商品がブームになってきている。筆記具においても筆記用のインクに香料を添加し、筆記時に香りが芳香する製品、また、製品表示などに用いられる印刷部分を擦ると芳香する製品があり、これは香料のマイクロカプセルを印刷インキに混合し印刷することにより得られ、形成された印刷面を擦ったりすることで香料のマイクロカプセルを物理的に破壊することにより芳香するものである。また、香料をアンプルに入れ使用時にアンプルを割って香りを楽しむ製品なども販売されている。
【０００７】
しかしながら、香料などの香り成分は、非常に蒸発・飛散し易く、製造から販売までの期間が比較的長い筆記具の場合には、香り成分が販売時になくなってしまうという問題が懸念される。そのため香料をアンプル等の別部品で保存し、使用時にアンプルを割る方法、またマイクロカプセルを物理的に壊し香りを芳香させる方法が採用されている。即ち、これらは人為的に香りを出さないと芳香しない手段となっている。
【０００８】
そこで、使用時に自然に芳香が感じられるよう香り付けをした筆記具を密閉・保存し、かつ筆記具製品を効果的に陳列することができる容器が望まれるようになってきた。
【０００９】
【課題を解決するための手段】
本発明は、上記問題点に鑑みてなされたものであって、様々な弾性部材があるが特に気体透過率の低い弾性部材を用いて容器本体と蓋との隙間を埋めることにより香りの成分等の気体も密閉保存できることを見いだし、本発明を完成させた。そして、その要旨を「ポリエチレンテレ蓋レート製の容器本体と蓋との間に気体透過率の低い弾性部材を介在させ密封した筆記具の保管容器。」とする。
【００１０】
以下、本発明を詳細に説明する。参照符号１は、蓋であり、その蓋１は内側にねじが形成され、容器本体３と螺合によって密封するが、螺合に限定されず、圧入や凹凸嵌合などの密封手段であっても良い。参照符号２は、弾性部材であり、その弾性部材２は前記蓋１と容器本体３の口元に介在されている。
また、容器本体３は透明なポリエチレンテレ蓋レートで成形されたものであり、その容器本体３には、筆記具製品４が内装されている。
【００１１】
蓋１は、清涼飲料などに使用されているペットボトル用の蓋を用いる。蓋１の材質は、特に限定されるものではないが、安価で安定供給が可能なポリプロピレン、ポリエチレン性のものが好ましい。また、蓋１の内側の天面には、液体が漏れない様に液体漏れ防止部材５が一体成形されているが、その液体漏れ防止部材５は特になくてもかまわない。
【００１２】
前記弾性部材２は、ゴム硬度が３０〜９０のシート状のものを用いる。また、弾性部材２の厚さは、０．１〜１ｍｍが適当である。０．１ｍｍより薄いと強度が弱く蓋の開け閉めの際にちぎれたり、やぶれたりするからである。取り扱いがしにくいことも問題である。また、厚さが１ｍｍより厚いと蓋１が最後まで螺合できなくなり、螺合距離が短くなることから密閉が不十分になってしまう。材料単価が高くなるという問題もある。尚、弾性部材２は、蓋１を締めた時に容器本体３の口元端面と蓋１の内面の天面の間で圧縮され、かつ容器本体３の口元端面と蓋１内側の天面の両者に完全に密着し、それぞれの部材間の空気を完全に追い出し密閉するものとなっている。
【００１３】
さらに、前記弾性部材２の材質は、気体透過率が低く弾性を有する材料を用いれば良く特に限定されるものではないが、気体透過率の低い弾性材料としては多硫化ゴムやブチルゴム、フッ素ゴム、エピクロルヒドリンゴム、エチレンプロピレンゴム、エチレン酢酸ビニルゴムが用いられる。材料コスト等を考慮すると、多硫化ゴムやブチルゴムが好ましい。
【００１４】
容器本体３は、透明なポリエチレンテレ蓋レートで成形されたものを用いる。容器本体３の内部に入れた製品が見えなくなるほどの着色でなければ、着色されていても特に問題はない。安価で安定供給が可能なペットボトルプリフォームがより好ましい。
【００１５】
筆記具製品４は、インクを内蔵するリフィールや香りや他の揮発性成分を含む製品などが挙げられるが、特に限定されるものではない。揮発により機能が低下するもの、または商品価値がなくなるものを応用した製品が適するものであり、特に、香り成分を応用した製品には効果がある。
【００１６】
尚、芳香を発するものは製品である必要はなく、紙など香り成分を含浸させた部材を容器内に投入してもよい。
【００１７】
【実施例】
以下、本発明を実施例により、具体的に説明する。
＜実施例１＞  筆記具製品４のグリップ６は、シリコーンゴムとコルク粒およびひのきの鋸屑を混合し成形した。グリップ６からは、ひのきの香りが芳香することが確認された。これをＢＲ５０７（エルゴノミックスボールペン、ぺんてる（株）製）に装着した。その後グリップを装着した製品を２Ｌ用のペットボトルプリフォームに入れ、直径２７ミリメートルに打ち抜いた厚さ０．５ミリメートルのブチルゴム（ゴム硬度６０）を蓋１の内側に入れた後、容器本体３と螺合し、製品を包装した。
５０℃で３ヶ月間、前記容器で製品を保存したが、ひのきの香りは無くならなかった。
尚、保存容器は何度でも使用可能であり、使用後容器に製品を入れて保存した場合、香りの持続期間が、前記３ヶ月以上に延びることも確認された。
【００１８】
＜実施例２＞  グリップ６は、シリコーンゴムとコルク粒および杉の鋸屑を混合し成形した。グリップ６からは、杉の香りが芳香することが確認された。これをＢＲ５０７（エルゴノミックスボールペン、ぺんてる（株）製）に装着した。その後グリップを装着した製品を２Ｌ用のペットボトルプリフォームに入れ、直径２７ミリメートルに打ち抜いた厚さ０．５ミリメートルのブチルゴム（ゴム硬度８０）を蓋１の内側に入れた後、容器本体３と螺合し、製品を包装した。
５０℃で３ヶ月間、容器中で製品を保存したが、杉の香りは無くならなかった。
尚、保存容器は何度でも使用可能であり、使用後容器に製品を入れて保存した場合、香りの持続期間が、前記３ヶ月以上に延びることも確認された。
【００１９】
＜実施例３＞  グリップ６は、シリコーンゴムとコルク粒およびひのきの鋸屑を混合し成形した。グリップ６からは、ひのきの香りが芳香することが確認された。これをＢＲ５０７（エルゴノミックスボールペン、ぺんてる（株）製）に装着した。その後グリップを装着した製品を２Ｌ用のペットボトルプリフォームに入れ、外形２４ミリメートル、内径１９．５ミリメートルのリング状に打ち抜いた厚さ０．５ミリメートルのブチルゴム（ゴム硬度３０）を蓋１の内側に入れた後、容器本体３と螺合し、製品を包装した。
５０℃で３ヶ月間、容器中で製品を保存したが、ひのきの香りは無くならなかった。
尚、保存容器は何度でも使用可能であり、使用後容器に製品を入れて保存した場合、香りの持続期間が、前記３ヶ月以上に延びることも確認された。
【００２０】
＜実施例４＞  グリップ６は、シリコーンゴムとコルク粒および杉の鋸屑を混合し成形した。グリップ６からは、杉の香りが芳香することが確認された。これをＢＲ５０７（エルゴノミックスボールペン、ぺんてる（株）製）に装着した。その後グリップを装着した製品を２Ｌ用のペットボトルプリフォームに入れ、外形２４ミリメートル、内径１９．５ミリメートルのリング状に打ち抜いた厚さ０．３ミリメートルの多硫化ゴム（ゴム硬度６０）を蓋１の内側に入れた後、容器本体３と螺合し、製品を包装した。
５０℃で３ヶ月間、容器中で製品を保存したが、杉の香りは無くならなかった。
尚、保存容器は何度でも使用可能であり、使用後容器に製品を入れて保存した場合、香りの持続期間が、前記３ヶ月以上に延びることも確認された。
【００２１】
＜比較例１＞  グリップ６は、シリコーンゴムとコルク粒およびひのきの鋸屑を混合し成形した。グリップ６からは、ひのきの香りが芳香することが確認された。これをＢＲ５０７（エルゴノミックスボールペン、ぺんてる（株）製）に装着した。その後グリップを装着した製品を２Ｌ用のペットボトルプリフォームに入れ、蓋１を容器本体３と螺合し、製品を包装した。
５０℃で１ヶ月間、容器中で製品を保存したところ、ひのきの香りは無くなっていた。
【００２２】
＜比較例２＞  グリップ６は、シリコーンゴムとコルク粒および杉の鋸屑を混合し成形した。グリップ６からは、杉の香りが芳香することが確認された。これをＢＲ５０７（エルゴノミックスボールペン、ぺんてる（株）製）に装着した。その後グリップを装着した製品を２Ｌ用のペットボトルプリフォームに入れ、直径２７ミリメートルに打ち抜いた厚さ７０ミクロンのＰＰシールを容器本体の口元に貼り付けた。その後、容器本体３と螺合し、製品を包装した。
５０℃で１ヶ月間、容器中で製品を保存したところ、杉の香りは無くなっていた。
【００２３】
＜比較例３＞  グリップ６は、シリコーンゴムとコルク粒およびひのきの鋸屑を混合し成形した。グリップ６からは、ひのきの香りが芳香することが確認された。これをＢＲ５０７（エルゴノミックスボールペン、ぺんてる（株）製）に装着した。その後グリップ６を装着した製品を２Ｌ用のペットボトルプリフォームに入れ、直径２７ミリメートルに打ち抜いた厚さ１．０ミリメートルのＰＰ／ＰＥ（発泡）／ＰＰの３層構造のラミネートフィルムを蓋１の内側に入れた後、容器本体３と螺合し、製品を包装した。
５０℃で１ヶ月間、容器中で製品を保存したところ、ひのきの香りは無くなっていた。
【００２４】
【発明の効果】
以上、実施例に示したように、本発明は、ガスバリアー性の高い弾性部材を容器本体と蓋の間に介在させたことにより、弾性部材が容器本体の口元と蓋の内側に圧縮変形により密着し気体の密閉保存が可能であることを確認したことからインク等の液体を内蔵する製品はもちろんのこと、香り付けした製品を密閉保存でき、さらに中の商品が見えることから店頭における陳列効果も優れた筆記具の保管容器が提供できるものである。
【図面の簡単な説明】
【図１】本発明を示す縦半断面図。
【図２】筆記具製品を内装した本発明を示す縦断面図。
【図３】蓋の底面図。
【図４】図２の要部拡大図。
【符号の説明】
１  蓋
２  弾性部材
３  容器本体
４  筆記具製品
５  液体漏れ防止部材
６  グリップ
【図１】
2005008232.tif 000003
【図２】
2005008232.tif 000004
【図３】
2005008232.tif 000005
【図４】
2005008232.tif 000006